(57)【要約】      （修正有）【課題】安価で簡単に製造ができ且つ、意匠性を向上させる額縁の提供。【解決手段】透明板３と、この透明板３の裏面側の外周部に沿って配置される枠体４とを備え、透明板３と枠体４とは接着されて、枠体４の内側縁部と透明板３の裏側とで取り囲まれた展示シート用の収納凹部１３が形成されており、透明板３の外周部に縁取り部を形成すると共に、枠体４及び枠体４と透明板３との接着部分を透明板３の表側から隠れるようにすべく、透明板３の裏面側の外周部に着色層５が設けられている。【選択図】図１
0003111245.tif 000002
【実用新案登録請求の範囲】
【請求項１】
透明板と、この透明板の裏面側の外周部に沿って配置される枠体とを備え、透明板と枠体とは接着されて、枠体の内側縁部と透明板の裏側とで取り囲まれた展示シート用の収納凹部が形成されており、透明板の外周部に縁取り部を形成すると共に、前記枠体及び枠体と透明板との接着部分を透明板の表側から隠れるようにすべく、透明板の裏面側の外周部に着色層が設けられていることを特徴とする額縁。
【請求項２】
前記着色層を透過して枠体と前記接着部分とが透明板の表側から見えることがないようにすべく、前記着色層の裏面側に重ね塗りされた重ね塗り層が設けられていることを特徴とする請求項１に記載の額縁。
【請求項３】
前記着色層は、枠体の内周縁よりも枠体の内側に突出した環状突出部を有していることを特徴とする請求項１又は２に記載の額縁。
【請求項４】
前記着色層は、枠体の内側縁部よりも内側から透明板の端縁までの範囲に亘っていることを特徴とする請求項１〜３のいずれかに記載の額縁。
【請求項５】
透明板と、この透明板の裏面側に配置される裏板とを備え、透明板と裏板との間に展示シートを介在させて透明板の外周部と裏板の外周部とを接着しており、透明板の外周部に縁取り部を形成すると共に、前記裏板の外周部及び裏板と透明板との接着部分を透明板の表側から隠れるようにすべく、透明板の裏面側の外周部に着色層が設けられていることを特徴とする額縁。
【請求項６】
前記着色層を透過して裏板と前記接着部分とが透明板の表側から見えることがないようにすべく、前記着色層の裏面側に重ね塗りされた重ね塗り層が設けられていることを特徴とする請求項５に記載の額縁。
【考案の詳細な説明】
【技術分野】
【０００１】
本考案は、例えば、写真，絵画，書画などの展示シートを飾るための額縁に関するものである。
【背景技術】
【０００２】
この種の額縁として、平面視で長方形状の外枠と、この外枠の内側周縁に該外枠の裏側から嵌合するガラス板とを備えたものがある。額縁の内部には、ガラス板の裏面と外枠の内側周縁と取り囲まれた展示シート用の収納凹部が形成されており、この収納凹部に展示シートを収納することによって、ガラス板の表面から展示シートが見れるようになっている（例えば、特許文献１）。
【特許文献１】特開平７−５９６３９号公報
【考案の開示】
【考案が解決しようとする課題】
【０００３】
従来のような額縁の外枠は、収納凹部に収納された展示シートの縁取り（飾り付け）をする役割があるために、額縁の意匠性が向上するように外枠の表側を突起させるなど複雑な形状にしなければならず、その加工に手間がかかり、製造コストがかかって高価なものとなっていた。
本考案は、上記のような実情に鑑みてされてたもので、その目的とするところは、安価で簡単に製造ができると共に、意匠性も向上させた額縁を提供することにある。
【課題を解決するための手段】
【０００４】
前記目的を達成するため、本考案は、次の手段を講じた。
即ち、透明板と、この透明板の裏面側の外周部に沿って配置される枠体とを備え、透明板と枠体とは接着されて、枠体の内側縁部と透明板の裏側とで取り囲まれた展示シート用の収納凹部が形成されており、透明板の外周部に縁取り部を形成すると共に、前記枠体及び枠体と透明板との接着部分を透明板の表側から隠れるようにすべく、透明板の裏面側の外周部に着色層が設けられている点にある。
前記着色層を透過して枠体と前記接着部分とが透明板の表側から見えることがないようにすべく、前記着色層の裏面側に重ね塗りされた重ね塗り層が設けられている点にある。
【０００５】
前記着色層は、枠体の内周縁よりも枠体の内側に突出した環状突出部を有している点にある。
前記着色層は、枠体の内側縁部よりも内側から透明板の端縁までの範囲に亘っている点にある。
前記枠体は、前記着色層と同一系統の色で着色されている点にある。
本発明の他の手段は、透明板と、この透明板の裏面側に配置される裏板とを備え、透明板と裏板との間に展示シートを介在させて透明板の外周部と裏板の外周部とを接着しており、透明板の外周部に縁取り部を形成すると共に、前記裏板の外周部及び裏板と透明板との接着部分を透明板の表側から隠れるようにすべく、透明板の裏面側の外周部に着色層が設けられている点にある。
【０００６】
前記着色層を透過して裏板と前記接着部分とが透明板の表側から見えることがないようにすべく、前記着色層の裏面側に重ね塗りされた重ね塗り層が設けられている点にある。
【考案の効果】
【０００７】
安価で簡単に製造ができると共に、意匠性を向上させることができる。
【考案を実施するための最良の形態】
【０００８】
以下、本考案の実施の形態を図面に基づいて説明する。
図１〜４は、本考案の第１の実施の形態での額縁１Ａを示している。この額縁１Ａは、その内部に写真，絵画，書画などの展示シート２を入れて飾るもので、透明板３と、枠体４とを備えている。
以下、説明の便宜上、図１〜３に示すように、紙面を見て左手側を左側，右手側を右側，左右方向に直交する方向を上下方向とする。図４に示すように、紙面を見て左側を表側，右側を裏側とする。
【０００９】
透明板３はアクリル板やガラス板などの透明な板材で長方形や正方形状に形成されている。透明板３の裏面の外周部には着色層５が設けられている。この実施の形態では、この着色層５は透明板３の裏面の外周全体を所定幅で赤色に塗ることによって構成されている。具体的には、着色層５は、透明板３の裏面の上端部及び下端部を、例えば６cm幅で、一端側（左側）から他端側（右側）にかけて直線的に赤色で塗ると共に、透明板３の裏面の左端部及び右端部を、例えば６cm幅で、一端側（上側）から他端側（下側）にかけて直線的に赤色で塗ることによって構成されている。
【００１０】
このように、透明板３の裏面の外周全体を赤色で角形に塗ることによって透明板３の外周部に縁取り部が形成されている。即ち、透明板３の裏側を赤色で角形に塗った部分が縁取り部となる。
図３に示すように、着色層５の裏側には、着色層５とは異なる色で重ね塗りされた重ね塗り層６が設けられている。この重ね塗り層６は、着色層５の全体を裏側から重ね塗りすることで構成されるもので、この実施の形態では、ベージュ色を重ね塗りした重ね塗り層６が設けられている。
【００１１】
したがって、後述するように、重ね塗り層６を設けることによって、着色層５を透過して枠体４や接着材９が透明板３の表面から見えないようにしている。
枠体４は、透明板３の裏面側の外周部に沿って配置されるもので、枠体４の全体は、着色層５と同一系統の赤色で着色されている。この枠体４は、左右一対の縦部材１０と、上下一対の横部材１１とで構成されている。左右の各縦部材１０は木材等により平板状に形成されていて、その幅は着色層５の着色幅Ｄ（前記所定幅）よりも小さく設定されている。
【００１２】
左側縦部材１０ａは、その左側端縁が透明板３の左側端縁に沿い且つ、該左側縦部材１０ａの上側端縁が透明板３の上側端縁に沿うように、透明板３の裏側（重ね塗り層６の裏側）に配置されている。言い換えれば、左側縦部材１０ａの左側端面と透明板３の左側端面とが面一になると共に、左側縦部材１０ａの上側端面と透明板３の上側端面とが面一になるように、透明板３の裏側に左側縦部材１０ａが重合している。
したがって、左側縦部材１０ａは着色層５の左側領域内にあって、この左側縦部材１０ａは着色層５によって隠されて透明板３の表側から見えないようになっている。
【００１３】
右側縦部材１０ｂは、その右側端縁が透明板３の右側端縁に沿い且つ、該右側縦部材１０ｂの下側端縁が透明板３の下側端縁に沿うように、透明板３の裏側（重ね塗り層６の裏側）に配置されている。言い換えれば、右側縦部材１０ｂの右側端面と透明板３の右側端面とが面一になると共に、右側縦部材１０ｂの下側端面と透明板３の下側端面とが面一になるように、透明板３の裏側に右側縦部材１０ｂが重合している。
したがって、右側縦部材１０ｂは着色層５の右側領域内にあって、この右側縦部材１０ｂは着色層５によって隠されて透明板３の表側から見えないようになっている。
【００１４】
上下の各横部材１１は木材等により平板状に形成されている。上側横部材１１ａは、左右の各縦部材１０の上側を互いに連結していると共に、該上側横部材１１ａの上側端縁が透明板３の上側端縁に沿い且つ、上側横部材１１ａの右側端縁が透明板３の右側端縁に沿うように、透明板３の裏側（重ね塗り層６の裏側）に配置されている。言い換えれば、上側横部材１１ａの上側端面と透明板３の上側端面とが面一になると共に、上側横部材１１ａの右側端面と透明板３の右側端面とが面一になるように、透明板３の裏側に各縦部材１０の上側を連結する上側横部材１１ａが重合している。
【００１５】
したがって、上側横部材１１ａは着色層５の上側領域内にあって、この上側横部材１１ａは着色層５によって隠されて透明板３の表側から見えないようになっている。
下側横部材１１ｂは、左右の各縦部材１０の下側を互いに連結していると共に、該下横側横部材１１ｂの下側端縁が透明板３の下側端縁に沿い且つ、下側横部材１１ｂの左側端縁が透明板３の左側端縁に沿うように、透明板３の重ね塗り層６の裏側に配置されている。言い換えれば、下横側横部材１１ｂの下側端面と透明板３の下側端面とが面一になると共に、下側横部材１１ｂの左側端面と透明板３の左側端面とが面一になるように、透明板３の裏側に各縦部材１０の下側を連結する下側横部材１１ｂが重合している。
【００１６】
したがって、下側横部材１１ｂは着色層５の下側領域内にあって、この下側横部材１１ｂは着色層５によって隠されて透明板３の表側から見えないようになっている。
これら左右の各縦部材１０及び左右の各横部材１１の表面には、両面テープやミラーボンドなどの接着剤９（接着手段）が付けられていて、枠体４及び透明板３は接着剤９を介して互いに接着されている。接着剤９も着色層５によって隠されて透明板３の表側から見えないようになっている。
このように枠体４と透明板３とを接着した状態では、図３に示すように、平面視で前記着色層５や重ね塗り層６は枠体４の内側縁部よりも内側にはみ出して環状となる環状突出部１２を有している。
【００１７】
この環状突出部１２は、枠体４と透明板３とを接着した状態で、着色層５の内側縁部が枠体４の内側縁部よりも内側にくるように、枠体４の内側縁部よりも内側の透明板３の裏側を平面視で角形に塗って形成したものである。
上記で示したように、枠体４を透明板３に接着すると、枠体４の内側縁部（各縦部材１０及び各横部材１１の内側縁部）と透明板３の裏側（裏面）に取り囲まれた展示シート２用の収納凹部１３が形成され、額縁１Ａの裏側から収納凹部１３にシート状の展示シート２が収納できるようになっている。
【００１８】
この収納凹部１３には、該収納凹部１３に収納した展示シート２を裏側からサポートする補助板１４が嵌合できるようになっており、収納凹部１３と略同じ大きさの補助板１４を収納凹部１３に嵌合すれば展示シート２を裏側からサポートすることができる。
また、収納凹部１３には、該収納凹部１３と略同じ大きさの保持板１５が嵌合できるようになっており、展示シート２，補助板１４，保持板１５を収納凹部１３に表側から順番に入れていき、最後に入れた保持板１５の裏側を枠体４に複数設けた止め金具１６で収納凹部１３から抜け落ちないように支持すれば、展示シート２は収納凹部１３内でがたつくことなく収納することができる。
【００１９】
以上、本考案の額縁１Ａによれば、透明板３の裏面側の外周部に着色層５を設けているので、枠体４及び接着部分（接着剤９）を透明板３の表側から隠して見えにくくすることができる。また、透明板３の裏側の外周部を着色することによって縁取り部を形成しているので、額縁１Ａの縁取り部分を簡単に構成でき、安価に製造することができると共に、展示シート２と着色層５（縁取り部）との一体感が増して意匠性を向上させることができる。
着色層５の裏面側に重ね塗りされた重ね塗り層６を設けているので、重ね塗り層６が枠体４及び接着剤９とを確実に隠し、これにより、着色層５を介して枠体４と接着剤９とが透明板３の表側から見えることを防止することができる。
【００２０】
着色層５は枠体４の内周縁よりも枠体４の内側に突出した環状突出部１２を有しているので、枠体４の内側縁部を確実に見えないようにすることができる。また、着色層５は、枠体４の内側縁部よりも内側から透明板３の端縁までの範囲に亘っているので、額縁１Ａにおける縁取り部が鮮明になり意匠性が向上する。
枠体４は、着色層５と同一系統の色で着色されていることから透明板３の裏側に配置した枠体４を見えにくくすることが一層向上すると共に、透明板３と枠体４との一体感が向上して見栄えよい額縁１Ａを構成することができる。しかも、透明板３の裏側に縁取り部（着色層５）を設けていることから、縁取り部を透明板３を通して鮮やかに見え、意匠性が一段と高まる。
【００２１】
図５，６は、本考案の第２の実施の形態での額縁１Ｂを示している。
この実施の形態では、上記第１の実施の形態に対して枠体４を無くして、その代わりに透明板３の裏側に裏板１７を配置したものである。なお、透明板３の着色層５は、上記実施の形態と同様に、透明板３の裏面の外周全体を所定幅（例えば，６cm幅）で赤色に塗ることによって構成されている。
前記裏板１７は透明板３と略同じ大きさに形成されている。裏板１７は、該裏板１７の外端面全周と透明板３の外端面全周とが面一になるように、透明板３の裏側に配置されている。
【００２２】
そして、透明板３の外周部（上下側外周部及び左右側外周部），即ち、透明板３の着色層５の裏側には、両面テープやミラーボンドなどの接着剤９（接着手段）が付けられていて、透明板３の裏側の外周部と裏板１７の表側の外周部とが接着されている。
したがって、裏板１７の外周部及び接着剤９とが着色層５によって隠されて、透明板３の表側から見えないようになっている。
なお、上記第１の実施の形態と同様に、着色層５の裏側には、着色層５とは異なる色で重ね塗りされた重ね塗り層６が設けられていることが好ましい。
【００２３】
上記のように透明板３の外周部と裏板１７の外周部とが接着された状態では、透明板３と裏板１７との間に展示シート２が介在されていて、展示シート２の外周縁は着色層５の裏側に位置している。言い換えれば、展示シート２と着色層５とがオーバラップした環状重合部１８がある。
したがって、展示シート２の外周縁と着色層５の内端縁との間からは裏板１７は見えないようになっていると共に、展示シート２を設けた部分からも裏板１７は見えないようになっていて、額縁１Ｂを表から見ると、展示シート２と透明板３に着色した着色層５（縁取り部）とが一体的に見える。
【００２４】
以上、本考案の額縁１Ｂによれば、透明板３と裏板１７との間に展示シート２を介在させてこれらを互いに貼り合わせるように接着し且つ、透明板３の裏側に着色層５を設けることによって縁取り部を形成しているため、縁取り部を有する額縁１Ｂを簡単に構成でき、安価に製造することができると共に、着色によって構成した縁取り部によって展示シート２と額縁１Ｂの縁取り部とを一体的に見せることが可能となり意匠性も向上する。
本考案は、上記記載の実施の形態に限定されることなく適宜に設計変更が可能である。
上記の第１実施の形態では、着色層５を構成するために、透明板３の裏側に赤色の着色をしていたが、着色の色は限定されず、例えば、青，黄色，黒，白など、枠体４及び接着剤９を隠すような色であればよい。なお、黒色など枠体４及び接着剤９を確実に隠すような色で着色層５を構成した場合、重ね塗り層６はなくてもよい。
【００２５】
また、上記の第１や２実施の形態では、透明板３の裏面を着色することで着色層５を構成していたが、これに代え、着色層５を色つきシート（シートにシルク印刷したもの）を枠体４と透明板３との間に設けるようにして、枠体４及び枠体４と透明板３との接着部分を隠すようにしてもよい。
また、透明板３，枠体４，裏板１７の形状は上記に限定されず、例えば、楕円形状や円形状であってもよい。また、裏板１７を第１の実施の形態と同様に、着色層５と同一系統の色で着色してもよい。
【図面の簡単な説明】
【００２６】
【図１】本考案の第１実施形態での額縁の正面図（表面図）である。
【図２】額縁の背面図（裏面図）である。
【図３】額縁の収納凹部の平面図である。
【図４】図１のＡ−Ａ断面図である。
【図５】本考案の第２実施形態での額縁の正面図（表面図）である。
【図６】図５のＢ−Ｂ断面図である。
【符号の説明】
【００２７】
１  額縁
２  展示シート
３  透明板
４  枠体
５  着色層
９  接着剤
【図１】
0003111245.tif 000003
【図２】
0003111245.tif 000004
【図３】
0003111245.tif 000005
【図４】
0003111245.tif 000006
【図５】
0003111245.tif 000007
【図６】
0003111245.tif 000008